(57)【特許請求の範囲】
【請求項１】
地盤の上に、多数の突起を片面又は両面に形成した合成樹脂製のエンボスシートと、独立気泡を有する発泡シートを重ねて敷設し、その上を遮水シートで被覆したことを特徴とする遮水構造。
【請求項２】
エンボスシートと発泡シートの間に更に遮水シートを設けたことを特徴とする請求項１に記載の遮水構造。
【請求項３】
エンボスシートの下に更に遮水シートを重ねて敷設したことを特徴とする請求項１に記載の遮水構造。
【請求項４】
エンボスシートの下に保護シートを重ね、保護シートの下に更に遮水シートを重ねて敷設したことを特徴とする請求項１に記載の遮水構造。
【請求項５】
地盤とエンボスシートの間に更に保護シートを敷設したことを特徴とする請求項１又は請求項２に記載の遮水構造。
【請求項６】
地盤と遮水シートの間に更に保護シートを敷設したことを特徴とする請求項３又は請求項４に記載の遮水構造。
【請求項７】
保護シートが透水性のシートであることを特徴とする請求項５又は請求項６に記載の遮水構造。
【発明の詳細な説明】
【０００１】
【発明の属する技術分野】
本発明は、廃棄物を埋め立てる最終処分場等に好ましく採用される遮水構造に関する。
【０００２】
【従来の技術】
産業廃棄物や一般廃棄物を埋め立てる最終処分場では、廃棄物から染み出す汚染水が周囲に浸透、拡散して環境汚染を引き起こすことがないように、図６に示すような遮水構造が広く採用されている。
【０００３】
この遮水構造は、最終処分場の地盤１の上に、保護部材として不織布２を敷設し、その上を合成樹脂製又はゴム製の遮水シート３で被覆したものである。
【０００４】
かかる遮水構造は、施工性が良く安価に施工できるものであるが、その反面、以下のような問題があった。
【０００５】
【発明が解決しようとする課題】
即ち、遮水シート３が破損したり接合不良箇所があったりすると、不織布２は面内方向の透水係数が大きいため、漏れ出した汚染水が不織布２に沿って周囲に浸透、拡散し、環境汚染を引き起こす恐れが多分にあった。
【０００６】
また、地盤１から浸出した地下水が遮水シート３と地盤１との間に溜り、その水圧で遮水シート３や不織布２が仮想線で示すように膨れて破裂する恐れもあった。
【０００７】
本発明は上記の問題に鑑みてなされたもので、遮水シートの破損や接合不良箇所が生じた場合でも、汚染水の漏洩や周囲への浸透、拡散を防止できる遮水構造を提供することを第一の目的とし、更に、地下水の浸出によって遮水シート等が破裂する心配のない遮水構造を提供することを第二の目的とする。
【０００８】
【課題を解決するための手段】
第一の目的を達成するため、本発明の請求項１に係る遮水構造は、地盤の上に、多数の突起を片面又は両面に形成した合成樹脂製のエンボスシートと、独立気泡を有する発泡シートを重ねて敷設し、その上を遮水シートで被覆したことを特徴とするものである。
【０００９】
そして、本発明の請求項２に係る遮水構造は、上記請求項１の遮水構造において、エンボスシートと発泡シートの間に更に遮水シートを設けたことを特徴とし、請求項３に係る遮水構造は、上記請求項１の遮水構造において、エンボスシートの下に更に遮水シートを重ねて敷設したことを特徴とし、請求項４に係る遮水構造は、上記請求項１の遮水構造において、エンボスシートの下に保護シートを重ね、保護シートの下に更に遮水シートを重ねて敷設したことを特徴とするものである。
【００１０】
更に、請求項５に係る遮水構造は、上記請求項１又は２の遮水構造において、地盤とエンボスシートの間に更に保護シートを敷設したことを特徴とし、請求項６に係る遮水構造は、上記請求項３又は４の遮水構造において、地盤と遮水シートの間に更に保護シートを敷設したことを特徴とするものである。
【００１１】
請求項１の遮水構造では、多数の突起を形成したエンボスシートと発泡シートが保護部材の役目を果たすため、遮水シートが破損する恐れは殆どないが、万一遮水シートが破損したり接合不良箇所が生じたりした場合でも、独立気泡を有する発泡シートは面内方向及び厚さ方向の透水係数が零もしくは著しく小さいため、汚染水の地下への漏洩や周囲への浸透、拡散を十分に防止することができる。
【００１２】
そして、請求項２の遮水構造では、表面の遮水シートと、エンボスシートと発泡シートの間の遮水シートによって、汚染水の地下への漏洩や周囲への浸透、拡散が二重に防止され、請求項３の遮水構造も、表面の遮水シートと、エンボスシートの下側の遮水シートによって、汚染水の地下への漏洩や周囲への浸透、拡散が二重に防止される。
【００１３】
また、請求項４の遮水構造では、保護シートによってエンボスシートが保護されるので、エンボスシートの突起などが割れたり欠けたりすることがなく、遮水構造全体としての耐破壊強度が向上し、しかも、表面の遮水シートと保護シートの下側の遮水シートによって二重に遮水されるため、汚染水の漏洩や周囲への浸透・拡散を一層確実に防止することができる。
【００１４】
更に、請求項５の遮水構造や請求項６の遮水構造は、地盤とエンボスシートの間の保護シートや、地盤と遮水シートの間の保護シートによって、遮水構造全体の耐破壊強度が更に向上し、遮水シート等が破損する恐れは皆無に等しくなる。
【００１５】
次に、第二の目的を達成するため、本発明の請求項７に係る遮水構造は、上記請求項５又は６の遮水構造において、保護シートが透水性のシートであることを特徴とするものである。
【００１６】
このような遮水構造では、上記の作用効果に加えて、地盤から浸出してくる地下水が透水性の保護シート内部の連続空隙や、保護シートとエンボスシートの突起で囲まれる連続空隙を流れて排水されるため、地盤から浸出してくる地下水の水圧で遮水シートや発泡シートが膨れて破裂するのを十分に防止することができる。
【００１７】
【発明の実施の形態】
以下、図面を参照して本発明の具体的な実施形態を詳述する。
【００１８】
図１は本発明の一実施形態に係る遮水構造の概略断面図である。
【００１９】
この実施形態は廃棄物を埋め立て処理する最終処分場の遮水構造を示したもので、廃棄物を埋め立てる凹部４を形成し、この凹部４の底面及び側面の地盤１の上に、合成樹脂製のエンボスシート５を敷設すると共に、その上に発泡シート６を重ねて敷設し、更に、その上を遮水シート３で被覆した構造とされている。
【００２０】
この実施形態で使用されているエンボスシート５は、両面に多数の突起を交互に形成したポリエチレン、ポリプロピレン、ポリ塩化ビニル等の合成樹脂からなるシートであって、突起の高さが１０〜５０ｍｍ程度のものである。
【００２１】
このような合成樹脂製のエンボスシート５は耐圧強度が大きくて割れにくいため、軟弱な地盤１の上に敷設すると、発泡シート６や遮水シート３が廃棄物（不図示）の荷重で地盤１に食い込むのを十分に阻止できる利点がある。
【００２２】
尚、片面にのみ多数の突起を形成した合成樹脂製のエンボスシートも勿論使用することができる。
【００２３】
このエンボスシート５の上に重ねる発泡シート６は、独立気泡を有する合成樹脂製又は合成ゴム製の発泡シートであって、発泡倍率が２０〜５０倍程度、厚さが３〜１５ｍｍ程度のものが好適に使用される。発泡倍率が上記よりも大きく、且つ、厚さが上記よりも薄い発泡シートは、強度が小さく破断しやすいので好ましくない。また、発泡倍率が上記より小さく、且つ、厚さが上記よりも厚い発泡シートは、柔軟性に劣り、重量が大きく持ち運びしにくいので、やはり好ましくない。
【００２４】
発泡シート６は上記のように独立気泡を有することが必要であり、連続気泡を有する発泡シートは、面内方向及び厚さ方向に透水するので、遮水シート３が破損した場合に、汚染水の地下への漏洩や周囲への浸透、拡散を防止することができず、本発明の目的達成は不可能となる。
【００２５】
この発泡シート６の上を被覆する遮水シート３は、従来から使用されているポリエチレン、ポリプロピレン、ポリ塩化ビニル等の合成樹脂シートや、ゴム製のシートであり、厚さが１．０〜２．５ｍｍ程度のものが好適である。これより薄い遮水シートは強度が小さいので破断しやすく、また、これより厚い遮水シートは柔軟性に劣り、取扱いにくいので好ましくない。
【００２６】
尚、この遮水シート３は、樹脂溶接、接着その他の接合手段によって水密的に接合されており、また、前記の発泡シート６も、必要に応じて同様の接合手段により水密的に接合される。
【００２７】
以上のような遮水構造によれば、多数の突起を形成したエンボスシート５と発泡シート６が遮水シート３の保護部材の役目を果たすため、遮水シート３が破損する恐れは殆どなく、また、軟弱な地盤１がエンボスシート５で補強されるため、遮水シート３や発泡シート６が廃棄物の荷重によって地盤１へ食い込むこともない。そして、万一、遮水シート３が破損したり接合不良箇所が生じたりした場合でも、独立気泡を有する発泡シート６によって、汚染水の地下への漏洩や周囲への浸透、拡散を十分に防止することができる。
【００２８】
図２は本発明の他の実施形態に係る遮水構造の概略断面図である。
【００２９】
この遮水構造は、エンボスシート５と発泡シート６の間に、更に遮水シート３を挟み込んで設けている。その他の構成は、前記図１の遮水構造と同様であるので、図２において同一部材には同一符号を付し、説明を省略する。
【００３０】
このような遮水構造は、表面の遮水シート３と、エンボスシート５と発泡シート６の間の遮水シート３によって二重に遮水されるため、汚染水の地下への漏洩や周囲への浸透、拡散を一層確実に防止できる利点がある。
【００３１】
図３は本発明の更に他の実施形態に係る遮水構造の概略断面図である。
【００３２】
この遮水構造は、エンボスシート５の下に更に遮水シート３が敷設されている点を除いて、前記図１の遮水構造と同様に構成されたものである。このような遮水構造も、表面の遮水シート３と、エンボスシート５の下側の遮水シート３によって二重に遮水されるため、汚染水の地下への漏洩や周囲への浸透、拡散を一層確実に防止できる利点がある。
【００３３】
図４は本発明の更に他の実施形態に係る遮水構造の概略断面図である。
【００３４】
この遮水構造は、廃棄物埋め立て用の凹部４の底面及び側面の地盤１の上に、エンボスシート５と発泡シート６を重ねて、その上を遮水シート３で被覆するだけでなく、エンボスシート５の下に保護シート７を重ね、この保護シート７の下に更に遮水シート３を重ねて敷設したものである。
【００３５】
保護シート７としては、良好な柔軟性、クッション性、引裂き強度等を有する合成樹脂や合成ゴムの発泡シート、合成樹脂繊維の不織布やマットなどが好適に使用される。この保護シート７として用いる発泡シートは、前記の発泡シート６のように独立気泡を有するものに限定されることはなく、連続気泡を有する発泡シートでもよい。尚、遮水シート３、エンボスシート５、発泡シート６は、前述したものと同じものが使用される。
【００３６】
このような遮水構造では、良好な柔軟性、クッション性、引裂き強度等を有する保護シート７によってエンボスシート５が保護されるので、エンボスシート５の突起などが割れたり欠けたりしなくなり、遮水構造全体としての耐破壊強度が向上する。しかも、表面の遮水シート３と最下層の遮水シート３によって二重に遮水されるため、汚染水の漏洩や周囲への浸透・拡散を一層確実に防止することができる。
【００３７】
遮水構造全体としての耐破壊強度を更に高めたい場合は、図１や図２に示す遮水構造において、地盤１とエンボスシート５の間に上記の保護シート７を敷設するか、あるいは、図３や図４に示す遮水構造において、地盤１と下層の遮水シート３の間に上記の保護シート７を敷設すればよい。
【００３８】
図５はそのような実施形態の遮水構造を示す概略断面図であって、図１に示す遮水構造の地盤１とエンボスシート５の間に更に保護シート７を敷設し、この保護シート７によって遮水構造全体としての耐破壊強度を更に向上させている。
【００３９】
その場合、保護シート７として、連続気泡を有する合成樹脂や合成ゴムの発泡シート、或は、合成樹脂繊維の不織布やマットなど、透水性を有するものを選択使用すれば、この透水性の保護シート７の内部の連続空隙や、保護シート７とエンボスシート５の突起とで囲まれる連続空隙８が排水通路の役目をするため、地盤１から浸出してくる地下水は上記のシート内部の連続空隙や連続空隙８を流れて排水される。従って、地盤１から浸出してくる地下水が溜り、その水圧で遮水シート３や発泡シート６が膨れて破裂する恐れも解消される。
【００４０】
図１〜図５に示す遮水構造はいずれも、産業廃棄物や一般廃棄物を搬入する際に廃棄物運搬車両等によって表面の遮水シート３が破れないように、遮水シート３の上に保護シート（不図示）が適宜敷設される。また、表面の遮水シート３は直射日光や風雨により早期劣化する恐れがあるので、紫外線吸収剤等を配合して耐候性を高めた遮水シート３を使用することが望ましい。
【００４１】
以上、廃棄物の最終処分場の遮水構造を例にとって本発明の遮水構造を説明したが、本発明の遮水構造は、最終処分場以外の遮水を必要とする種々の施設や場所に適用できることは勿論であり、また、最終処分場の底部や側壁部など部所によって加わる荷重を考慮して適宜相違する遮水構造としてもよいことは言うまでもない。
【００４２】
【発明の効果】
以上の説明から明らかなように、本発明の請求項１に係る遮水構造は、遮水シートが破損し難く、万一破損したり、接合不良箇所が生じたりした場合でも、汚染水等の地下への漏洩や周囲への浸透、拡散による環境汚染を十分に防止することができるといった顕著な効果を奏する。
【００４３】
そして、請求項２や請求項３の遮水構造は、二重の遮水によって汚染水等の地下への漏洩などを一層確実に防止できるといった効果を奏し、また、請求項４の遮水構造は、エンボスシートが保護されて遮水構造全体の耐破壊強度が向上し、汚染水等の漏洩や周囲への拡散浸透も一層確実に防止できるといった効果を奏する。
【００４４】
更に、請求項５や請求項６の遮水構造は、保護シートによって遮水構造全体としての耐破壊強度が一層向上するといった効果を奏し、請求項７の遮水構造は、上記の効果に加えて、地盤から浸出する地下水の圧力により遮水シートや発泡シートが膨れて破裂するのを防止できるといった効果を奏する。
【図面の簡単な説明】
【図１】本発明の一実施形態に係る遮水構造の概略断面図である。
【図２】本発明の他の実施形態に係る遮水構造の概略断面図である。
【図３】本発明の更に他の実施形態に係る遮水構造の概略断面図である。
【図４】本発明の更に他の実施形態に係る遮水構造の概略断面図である。
【図５】本発明の更に他の実施形態に係る遮水構造の概略断面図である。
【図６】従来の遮水構造の概略断面図である。
【符号の説明】
１  地盤
３  遮水シート
４  凹部
５  エンボスシート
６  発泡シート
７  保護シート
８  空隙部
【図１】
0004308962.tif 000002
【図２】
0004308962.tif 000003
【図３】
0004308962.tif 000004
【図４】
0004308962.tif 000005
【図５】
0004308962.tif 000006
【図６】
0004308962.tif 000007